(57)【要約】【課題】簡易な構造でありながら、筐体内の水を排出することができ、かつ、筐体内の機器類に筐体外部からの水が直接に当たったり、虫や塵芥等が入り込むのを防止できる水抜き構造を提供する。【解決手段】水抜き構造１は、筐体の底壁１００に設けられた水抜き穴１０１から水を排出する水抜き構造であって、水抜き穴１０１を塞ぐ透水性の多孔質体１０を備える。【選択図】図１
2013065789.tif 000002
【特許請求の範囲】
【請求項１】
筐体の底壁に設けられた水抜き穴から水を排出する水抜き構造であって、
前記水抜き穴を塞ぐ透水性の多孔質体を備えることを特徴とする水抜き構造。
【請求項２】
前記多孔質体は、前記水抜き穴全体に充填されていることを特徴とする請求項１に記載の水抜き構造。
【請求項３】
前記多孔質体は、前記底壁の筐体内面側と筐体外面側の少なくとも一方に突出部を有することを特徴とする請求項２に記載の水抜き構造。
【請求項４】
前記多孔質体は、前記水抜き穴を塞ぐように前記底壁の筐体外面又は筐体内面に設置されることを特徴とする請求項１乃至３の何れか１項に記載の水抜き構造。
【請求項５】
前記水抜き穴から排出される水が連結部から漏れないように前記水抜き穴の内壁又は前記底壁の筐体外面に連結される排水管を備え、前記多孔質体は、前記排水管の内部に設けられることを特徴とする請求項１乃至３の何れか１項に記載の水抜き構造。
【請求項６】
前記多孔質体は、透水性アスファルト、海綿スポンジ、多孔質セラミックス、多孔質ガラス、多孔質金属（発泡金属）、発泡ポリウレタン、発泡ポリエチレン、発泡スチロール、不織布のような繊維状物質を固めて成型したもののうち少なくとも１種を含むことを特徴とする請求項１乃至５の何れか１項に記載の水抜き構造。
【請求項７】
前記水抜き穴を塞ぐことなく覆うように前記底壁の筐体内面又は筐体外面に設置され、かつ前記水を排出するための１つ又は複数の開口部を側壁に有するケースを備えることを特徴とする請求項１乃至６の何れか１項に記載の水抜き構造。
【請求項８】
前記ケースは、ケース内部に前記多孔質体が充填されていることを特徴とする請求項７に記載の水抜き構造。
【請求項９】
前記水抜き穴の上部又は下部に前記多孔質体が充填されていない空洞部を有することを特徴とする請求項８に記載の水抜き構造。
【発明の詳細な説明】
【技術分野】
【０００１】
本発明は、筐体内の水を排出する水抜き構造に関する。
【背景技術】
【０００２】
屋外へ設置する機器類の筐体には、結露等により筐体内に溜まった水を筐体外へ排出するため、筐体の底壁に水抜き穴が設けられていることが多い。
【０００３】
従来の水抜き穴は、筐体の底壁に穴を開けただけの構造であるため、下方向から水抜き穴に強い勢いで当たった水は筐体内に浸入し、内部の回路基板等の部品に直接に当たってしまい、故障の原因となる恐れがある。また、虫や塵芥がこの水抜き穴から筐体内に入り込み、内部の回路基板等の部品に悪影響を及ぼす可能性もある。
【０００４】
そこで、上記問題に対処するべく、筐体底壁の水抜き穴に設けられる水抜き穴構造に関する発明がなされている（例えば、特許文献１及び特許文献２参照）。
【０００５】
特許文献１には、ボックス内に浸入した水をボックスの外方へ排出する水抜き穴の水抜き構造であって、水抜き穴の開口周縁に密着・当接して組み付けられて水抜き穴を閉鎖すると共にボックス内に浸入した所定量の水の重さで水抜き穴を開放しボックス内に浸入した水を外方へ排出可能とする弁体を備えた水抜き穴構造が開示されている。
【０００６】
また、特許文献２には、ボックス内に浸入または発生した水をボックスの外方へ排出する水抜き穴の水抜き穴構造であって、空気溜まり部を有し前記ボックス内に浸入した水がボックスの外方へ排出可能にボックス内外を連通した状態で前記水抜き穴に設けられる弁体を備えていることを特徴とする水抜き穴構造が開示されている。
【先行技術文献】
【特許文献】
【０００７】
【特許文献１】特開２００２−３５３６４４号公報
【特許文献２】特開２００２−３５４６３０号公報
【発明の概要】
【発明が解決しようとする課題】
【０００８】
しかしながら、特許文献１等に記載の水抜き穴構造によれば、ボックス内に浸入した水をボックスの外方へ排出することができると共に、ボックス内への水抜き穴からの水の浸入を阻止することができると考えられるが、水抜き穴構造が複雑な構造であり、製造上の困難性を伴う。また、複雑な構造ゆえに、詰まり等の機能障害が生じる可能性が高い。
【０００９】
一方、水抜き穴に金網を設けるだけのような簡易な水抜き穴構造では、水の排出機能は果たせても、外部からの水の浸入や虫等が入り込むのを防止することが難しい。
【００１０】
そこで、本発明の目的は、簡易な構造でありながら、筐体内の水を排出することができ、かつ、筐体内の機器類に筐体外部からの水が直接に当たったり、虫や塵芥等が入り込むのを防止できる水抜き構造を提供することにある。
【課題を解決するための手段】
【００１１】
本発明は、上記目的を達成するために、下記［１］〜［９］の水抜き構造を提供する。
【００１２】
［１］筐体の底壁に設けられた水抜き穴から水を排出する水抜き構造であって、
前記水抜き穴を塞ぐ透水性の多孔質体を備えることを特徴とする水抜き構造。
【００１３】
［２］前記多孔質体は、前記水抜き穴全体に充填されていることを特徴とする前記［１］に記載の水抜き構造。
【００１４】
［３］前記多孔質体は、前記底壁の筐体内面側と筐体外面側の少なくとも一方に突出部を有することを特徴とする前記［２］に記載の水抜き構造。
【００１５】
［４］前記多孔質体は、前記水抜き穴を塞ぐように前記底壁の筐体外面又は筐体内面に設置されることを特徴とする前記［１］乃至［３］の何れか１つに記載の水抜き構造。
【００１６】
［５］前記水抜き穴から排出される水が連結部から漏れないように前記水抜き穴の内壁又は前記底壁の筐体外面に連結される排水管を備え、前記多孔質体は、前記排水管の内部に設けられることを特徴とする前記［１］乃至［３］の何れか１つに記載の水抜き構造。
【００１７】
［６］前記多孔質体は、透水性アスファルト、海綿スポンジ、多孔質セラミックス、多孔質ガラス、多孔質金属（発泡金属）、発泡ポリウレタン、発泡ポリエチレン、発泡スチロール、不織布のような繊維状物質を固めて成型したもののうち少なくとも１種を含むことを特徴とする前記［１］乃至［５］の何れか１つに記載の水抜き構造。
【００１８】
［７］前記水抜き穴を塞ぐことなく覆うように前記底壁の筐体内面又は筐体外面に設置され、かつ前記水を排出するための１つ又は複数の開口部を側壁に有するケースを備えることを特徴とする前記［１］乃至［６］の何れか１つに記載の水抜き構造。
【００１９】
［８］前記ケースは、ケース内部に前記多孔質体が充填されていることを特徴とする前記［７］に記載の水抜き構造。
【００２０】
［９］前記水抜き穴の上部又は下部に前記多孔質体が充填されていない空洞部を有することを特徴とする前記［８］に記載の水抜き構造。
【発明の効果】
【００２１】
本発明によれば、簡易な構造でありながら、筐体内の水を排出することができ、かつ、筐体内の機器類に筐体外部からの水が直接に当たったり、虫や塵芥等が入り込むのを防止できる水抜き構造を提供することができる。
【図面の簡単な説明】
【００２２】
【図１】本発明の第１の実施の形態に係る水抜き構造の外観を示す斜視図である。
【図２】図１におけるII−II線切断部端面図である。
【図３】（ａ）は、図２の第１の変形例を示す切断部端面図であり、（ｂ）は、図２の第２の変形例を示す切断部端面図であり、（ｃ）は、図２の第３の変形例を示す切断部端面図である。
【図４】図２の第４の変形例を示す切断部端面図である。
【図５】（ａ）は、水抜き構造から排出される水の経路を示す説明図であり、（ｂ）は、水抜き構造から浸入した水の排出経路を示す説明図である。
【図６】本発明の第２の実施の形態に係る水抜き構造の外観を示す斜視図である。
【図７】（ａ）は、図６におけるＡ方向から見た正面図であり、（ｂ）は、図６におけるＢ方向から見た正面図（Ａ方向から見た場合の右側面図）である。
【図８】（ａ）は、図６におけるＶIII−ＶIII線切断部端面図であり、（ｂ）は、（ａ）の第１の変形例を示す切断部端面図であり、（ｃ）は、（ａ）の第２の変形例を示す切断部端面図であり、（ｄ）は、（ａ）の第３の変形例を示す切断部端面図である。
【図９】（ａ）は、図８（ｄ）の変形例を示す切断部端面図であり、（ｂ）は、（ａ）の変形例を示す切断部端面図である。
【図１０】（ａ）及び（ｂ）は、図７の第１の変形例を示す正面図である。
【図１１】（ａ）及び（ｂ）は、図７の第２の変形例を示す正面図である。
【発明を実施するための形態】
【００２３】
〔本発明の第１の実施の形態〕
（水抜き構造の構成）
図１は、本発明の第１の実施の形態に係る水抜き構造の外観を示す斜視図である。また、図２は、図１におけるII−II線切断部端面図である。また、図３（ａ）〜（ｃ）及び図４のそれぞれは、図２の変形例を示す切断部端面図である。
【００２４】
本発明の実施の形態に係る水抜き構造は、筐体の底壁１００に設けられた水抜き穴１０１から水を排出する水抜き構造であって、水抜き穴１０１を塞ぐ透水性の多孔質体を備える。
【００２５】
水抜き構造１における透水性の多孔質体１０は、図１及び図２に示されるように、水抜き穴１０１を塞ぐために水抜き穴１０１全体に充填されている。
【００２６】
水抜き穴１０１を塞ぐ構成であれば、多孔質体は水抜き穴１０１全体にのみ充填される場合に限られず、図３（ａ）に記載の水抜き構造２に示されるように、底壁の筐体内面側及び筐体外面側に突出部を有する多孔質体１１であってもよい。なお、突出部は、底壁の筐体内面側又は筐体外面側のどちらかにのみ設けられる形態であってもよい。突出部の形状は特に限定されるものではないが、水抜き穴１０１に合わせた形状であることが好ましく、水抜き穴１０１が円形であれば円柱状又は円錐状、或いは半球状であることが好ましい。突出部の高さは筐体内面側及び筐体外面側ともにそれぞれ０．５〜３ｃｍ程度が好ましく、０．５〜２ｃｍ程度がより好ましい。
【００２７】
また、水抜き穴１０１を塞ぐ構成であれば、多孔質体は水抜き穴１０１に充填される場合に限られず、図３（ｂ）及び（ｃ）に記載の水抜き構造３，４に示されるように、水抜き穴１０１を塞ぐように底壁１００の筐体外面又は筐体内面に設置される形態の多孔質体１２，１３であってもよい。なお、筐体外面及び筐体内面の両面に設置してもよい。多孔質体１２，１３の形状・大きさは特に限定されるものではなく、水抜き穴１０１を塞ぐことができる形状・大きさであれば良い。多孔質体１２，１３の厚み（高さ）はそれぞれ０．５〜３ｃｍ程度が好ましく、１〜３ｃｍ程度がより好ましい。
【００２８】
また、水抜き穴１０１を塞ぐ構成であれば、多孔質体は水抜き穴１０１に充填される場合や底壁１００に直接に設置される場合に限られず、図４に記載の水抜き構造５に示されるように、底壁１００に連結される排水管２０の内部に設けられる形態の多孔質体１４であってもよい。排水管２０は、水抜き穴から排出される水が連結部から漏れないように水抜き穴１０１の内壁や底壁１００の筐体外面に溶接等により設置される。多孔質体１４の形状・大きさは、排水管２０の内壁と多孔質体１４の間に隙間が無いように排水管２０の形状や大きさに合わせる。多孔質体１４の厚みは０．５〜３ｃｍ程度が好ましく、１〜３ｃｍ程度がより好ましい。
【００２９】
また、水抜き構造１〜５は可能な範囲で組み合わせて使用することもできる。
【００３０】
多孔質体１０〜１４は、筐体内部の水を筐体外部へ排出できる透水性の多孔質体であればその材質は特に限定されるものではなく、例えば、透水性アスファルト、海綿スポンジ、多孔質セラミックス、多孔質ガラス、多孔質金属（発泡金属）、発泡ポリウレタン、発泡ポリエチレン、発泡スチロールを用いることができる。不織布のような繊維状物質を固めて成型したものも使用できる。これらのうちの１種に限られず、２種以上を使用しても良い。２種以上を使用する場合、それぞれを層とする２層以上の構成とすることが好ましい。
【００３１】
多孔質体１０〜１４は、接着剤等により底壁１００、水抜き穴１０１又は排水管２０に固定されることができる。
【００３２】
なお、本実施の形態に係る水抜き構造は、アンテナ等の電子機器類を収容する筐体のほか、屋外へ設置する種々の筐体に適用可能である。筐体の底壁１００に設けられた水抜き穴１０１の直径は、通常、２ｍｍ〜２０ｍｍ程度であるが、これに限定されるものではない。
【００３３】
（筐体内の水の排出経路）
図５（ａ）は、水抜き構造から排出される水の経路を示す説明図である。
水抜き構造１を使用した場合を例に説明すると、筐体の底壁１００に溜まった水は、重力により透水性の多孔質体１０を徐々に下方へ浸透して、図５（ａ）に示される矢印の方向へ水が流れ、水抜き穴１０１を経て筐体外部へ排出される。
【００３４】
（水抜き穴から浸入した水の排出）
図５（ｂ）は、水抜き構造から浸入した水の排出経路を示す説明図である。
水抜き構造１を使用した場合を例に説明すると、筐体外部から水抜き構造１に当たった水は、図５（ｂ）の矢印で示されるように、その大部分がはね返されるが、使用する多孔質体１０の材質によっては、一部のごく少量の水が多孔質体１０を浸透して筐体内部に入り込むことが考えられる。しかしながら、水の勢いは無く、重力により、すぐに下方へ方向を変え、多孔質体１０を浸透して筐体外部へ排出される。
【００３５】
（本発明の第１の実施の形態の効果）
本実施の形態によれば、以下の効果を奏する。
（１）簡易な構造でありながら、筐体内で発生した水を排出することができ、かつ、筐体内の機器類に筐体外部からの水が直接に当たったり、虫や塵芥等が入り込むのを防止できる水抜き構造を提供することができる。
【００３６】
〔本発明の第２の実施の形態〕
（水抜き構造の構成）
図６は、本発明の第２の実施の形態に係る水抜き構造の外観を示す斜視図である。図７（ａ）は、図６におけるＡ方向から見た正面図であり、（ｂ）は、図６におけるＢ方向から見た正面図（Ａ方向から見た場合の右側面図）であり、図８（ａ）は、図６におけるVIII−VIII線切断部端面図である。
そして、図８（ｂ）〜（ｄ）及び図９〜１１は、本発明の第２の実施の形態に係る水抜き構造の変形例を示す図である。
【００３７】
本発明の第２の実施の形態に係る水抜き構造は、水抜き穴１０１を塞ぐことなく覆うように底壁１００の筐体内面又は筐体外面に設置され、かつ水を排出するための１つ又は複数の開口部を側壁に有するケースを備えること以外は、前述の第１の実施の形態に係る水抜き構造と同様である。
【００３８】
図６，７，８（ａ）の水抜き構造６１は、水抜き構造１を利用するものであり、図８（ｂ）〜（ｄ）の水抜き構造６２〜６４は、水抜き構造２〜４を利用するものである。図９（ａ）の水抜き構造７１は、図８（ｄ）の変形例であり、つまり、水抜き構造４を利用するものであるが、この変形例においては、ケース内部に多孔質体１５が充填されている。また、図９（ｂ）の水抜き構造７２は、図９（ａ）の変形例であり、つまり、水抜き構造４を利用するものであるが、この変形例においては、ケース内部に多孔質体１５が充填され、かつ、水抜き穴の上部又は下部に多孔質体が充填されていない空洞部１５ｂを有する。
【００３９】
水抜き構造６１〜６４は、ケース３０を底壁１００の筐体内面に設置した例を示したものであるが、底壁１００の筐体外面に設置される形態であってもよい。また、水抜き構造７１，７２は、底壁１００の筐体内面に設置した例を示したものであるが、底壁１００の筐体外面に設置される形態であってもよい。
【００４０】
ケース３０は、図６等に示されるように、筐体内から水を排出する水抜き穴１０１の直上に設置される直方体形状のケースである。直方体形状の側壁の１つの一部が開口されて開口部３０ａが形成されている。また、ケース３０は、底壁の全体が開口しているため、水抜き穴１０１を塞ぐことなく覆うことができる。開口部３０ａ以外の部分は、水の浸入や虫などの侵入を阻止するために隙間無く形成されている。
【００４１】
なお、開口部３０ａの形状、大きさ等は特に限定されるものではなく、水抜き穴１０１へ水を流すことが可能な形態であればよい。
【００４２】
また、側壁に複数の開口部を設けてもよく、例えば、図１０に示される水抜き構造８では、１つの側壁に開口部３１ａを設け、別の側壁に開口部３１ｂを設けたケース３１を使用し、図１１に示される水抜き構造９では、１つの側壁に開口部３２ａを設け、別の側壁に開口部３２ｂ及び３２ｃを設けたケース３２を使用している。
【００４３】
また、ケース３０〜３２は、直方体形状の底壁の全体が開口している形態に限られるものではなく、水抜き穴１０１を塞ぐことなく開口部３０ａ等からケース３０〜３２内に流れ込んだ水を水抜き穴１０１へ流すことが可能な形態であれば、底壁の一部のみを開口した形態であってもよい。
【００４４】
また、ケース３０〜３２は、直方体（立方体含む）形状に限られず、多角柱、多角錐、円柱、円錐、半球等の形状であってもよい。
【００４５】
ケース３０〜３２の大きさは、水抜き穴１０１を覆うことができ、かつ、筐体内で邪魔にならない程度の大きさであれば特に限定されるものではない。
【００４６】
ケース３０〜３２の材質としては、金属、合成樹脂等を用いることができる。
【００４７】
ケース３０〜３２を筐体の底壁１００に設置する方法は、溶接、接着剤による接着等の種々の方法を用いることができる。ケース３０〜３２の側壁は、水の浸入や虫などの侵入を阻止するために筐体の底壁１００（筐体内面１００Ａ）に隙間無く設置される。
【００４８】
（本発明の第２の実施の形態の効果）
本実施の形態によれば、以下の効果を奏する。
（１）簡易な構造でありながら、筐体内で発生した水を排出することができ、かつ、筐体内の機器類に筐体外部からの水が直接に当たったり、虫や塵芥等が入り込むのを防止できる水抜き構造を提供することができる。
【００４９】
（２）ケース３０〜３２が設置されているため、ケース３０〜３２を超えて筐体内に水が浸入することが困難となるので、本発明の第１の実施の形態よりもさらに確実に筐体内の機器類に筐体外部からの水が直接に当たることを防止できる。
【００５０】
以上、本発明の実施の形態を説明したが、本発明は、これらの実施の形態に限定されず、発明の主旨を逸脱しない範囲内において種々変形実施が可能である。
【符号の説明】
【００５１】
１００：筐体の底壁、１０１：水抜き穴
１〜５，６１〜６４，７１，７２，８，９：水抜き構造
１０〜１５：多孔質体
２０：排水管
３０〜３２：ケース
３０ａ，３１ａ〜３１ｂ，３２ａ〜３２ｃ：開口部
【図１】
2013065789.tif 000003
【図２】
2013065789.tif 000004
【図３】
2013065789.tif 000005
【図４】
2013065789.tif 000006
【図５】
2013065789.tif 000007
【図６】
2013065789.tif 000008
【図７】
2013065789.tif 000009
【図８】
2013065789.tif 000010
【図９】
2013065789.tif 000011
【図１０】
2013065789.tif 000012
【図１１】
2013065789.tif 000013